【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
物体側から順に、正の第１レンズ群、負の第２レンズ群、正の第３レンズ群、正の第４レンズ群を有し、各群の間隔を変化させることで変倍を行い、前記第１レンズ群は１枚の正レンズ、前記第２レンズ群は２枚のレンズ、前記第４レンズ群は１枚の正レンズからなり、さらに以下の条件式を満たすことを特徴とするズームレンズ。
４＜Ｚ＜８                                                    ・・・（１）
８０＜νd ＜９８                                              ・・・（２）
ただし、Ｚはズーム比、
νd は第１レンズ群を構成する第１レンズのアッベ数、
である。
【請求項２】
物体側から順に、正の第１レンズ群、負の第２レンズ群、正の第３レンズ群、正の第４レンズ群を有し、各群の間隔を変化させることで変倍を行い、前記第１レンズ群は１枚の正レンズ、前記第２レンズ群は２枚のレンズ、前記第４レンズ群は１枚の正レンズからなり、さらに以下の条件式を満たすことを特徴とするズームレンズ。
０．４＜Ｄ2 ／ｆw ＜０．７                                    ・・・（Ａ）
ただし、Ｄ2 は第２レンズ群の最も物体側のレンズ面頂から第２レンズ群の最も像側のレンズ面頂までの光軸に沿って測った距離、
ｆw は広角端における全系の焦点距離、
である。
【請求項３】
物体側から順に、正の第１レンズ群、負の第２レンズ群、正の第３レンズ群、正の第４レンズ群を有し、各群の間隔を変化させることで変倍を行い、前記第１レンズ群は１枚の正レンズ、前記第２レンズ群は２枚のレンズ、前記第４レンズ群は１枚の正レンズからなり、さらに以下の条件式を満たすことを特徴とするズームレンズ。
０．０８＜Ｄ2 ／ｆt ＜０．２２                                ・・・（Ｂ）
ただし、Ｄ2 は第２レンズ群の最も物体側のレンズ面頂から第２レンズ群の最も像側のレンズ面頂までの光軸に沿って測った距離、
ｆt は望遠端における全系の焦点距離、
である。
【請求項４】
物体側から順に、正の第１レンズ群、負の第２レンズ群、正の第３レンズ群、正の第４レンズ群を有し、各群の間隔を変化させることで変倍を行い、前記第１レンズ群は１枚の正レンズ、前記第２レンズ群は２枚のレンズ、前記第４レンズ群は１枚の正レンズからなり、さらに以下の条件式を満たすことを特徴とするズームレンズ。
０．４＜Ｄ3 ／ｆw ＜０．７                                    ・・・（Ｃ）
ただし、Ｄ3 は第３レンズ群の最も物体側のレンズ面頂から第３レンズ群の最も像側のレンズ面頂までの光軸に沿って測った距離、
ｆw は広角端における全系の焦点距離、
である。
【請求項５】
物体側から順に、正の第１レンズ群、負の第２レンズ群、正の第３レンズ群、正の第４レンズ群を有し、各群の間隔を変化させることで変倍を行い、前記第１レンズ群は１枚の正レンズ、前記第２レンズ群は２枚のレンズ、前記第４レンズ群は１枚の正レンズからなり、さらに以下の条件式を満たすことを特徴とするズームレンズ。
０．１＜Ｄ3 ／／ｆt ＜０．２２                                ・・・（Ｄ）
ただし、Ｄ3 は第３レンズ群の最も物体側のレンズ面頂から第３レンズ群の最も像側のレンズ面頂までの光軸に沿って測った距離、
ｆt は望遠端における全系の焦点距離、
である。
【請求項６】
以下の条件式を満足することを特徴とする請求項１から５の何れか１項記載のズームレンズ。
１．２＜ＤＴ／ｆt ＜２．０                                    ・・・（３）
ただし、ＤＴは光学系の望遠端での第１レンズの物体側のレンズ面頂から結像位置までの光軸に沿った距離、
ｆt は望遠端における全系の焦点距離、
である。
【請求項７】
以下の条件式を満足することを特徴とする請求項１から６の何れか１項記載のズームレンズ。
０．５＜ｆ1 ／ｆt ＜１．５０                                  ・・・（４）
ただし、ｆ1 は第１レンズ群の焦点距離、
ｆt は望遠端における全系の焦点距離、
である。
【請求項８】
以下の条件式を満足することを特徴とする請求項１から７の何れか１項記載のズームレンズ。
−０．１＜ｆ2 ／ｆt ＜−０．４０                              ・・・（５）
ただし、ｆ2 は第２レンズ群の焦点距離、
ｆt は望遠端における全系の焦点距離、
である。
【請求項９】
以下の条件式を満足することを特徴とする請求項１から８の何れか１項記載のズームレンズ。
−０．５＜ＳＦ1 ＜−０．０３                                  ・・・（６）
ただし、ＳＦ1 ＝（Ｒ1f＋Ｒ1r）／（Ｒ1f−Ｒ1r）で定義され、
Ｒ1fは第１レンズの物体側面の曲率半径、
Ｒ1rは第１レンズの像側面の曲率半径、
【請求項１０】
以下の条件式を満足することを特徴とする請求項１から９の何れか１項記載のズームレンズ。
０＜ＳＦ2 ＜０．６                                            ・・・（７）
ただし、ＳＦ2 ＝（Ｒ2f＋Ｒ2r）／（Ｒ2f−Ｒ2r）で定義され、
Ｒ2fは第２レンズ群の物体側のレンズの物体側面の曲率半径、
Ｒ2rは第２レンズ群の物体側のレンズの像側面の曲率半径、
である。
【請求項１１】
以下の条件式を満足することを特徴とする請求項１から１０の何れか１項記載のズームレンズ。
１．５＜Ｒ（Ｇ1r）／Ｒ（Ｇ2f）＜２．４                        ・・・（８）
ただし、Ｒ（Ｇ1r）は第１レンズ群の最像側面の曲率半径、
Ｒ（Ｇ2f）は第２レンズ群の最物体側面の曲率半径、
である。
【請求項１２】
前記第１レンズ群の最像面側の面が非球面であることを特徴とする請求項１１記載のズームレンズ。
【請求項１３】
請求項１から９の何れか１項記載のズームレンズと、該ズームレンズの像側に配置された撮像素子とを備えることを特徴とする電子撮像装置。
【請求項１４】
以下の条件式を満足することを特徴とする請求項１記載のズームレンズ。
１．２＜ＤＴ／ｆt ＜２．０                                    ・・・（３）
ただし、ＤＴは光学系の望遠端での第１レンズの物体側のレンズ面頂から結像位置までの光軸に沿った距離、
ｆt は望遠端における全系の焦点距離、
である。
【請求項１５】
以下の条件式を満足することを特徴とする請求項１４記載のズームレンズ。
０．５＜ｆ1 ／ｆt ＜１．５０                                  ・・・（４）
ただし、ｆ1 は第１レンズ群の焦点距離、
ｆt は望遠端における全系の焦点距離、
である。
【請求項１６】
以下の条件式を満足することを特徴とする請求項１５項記載のズームレンズ。
−０．１＜ｆ2 ／ｆt ＜−０．４０                              ・・・（５）
ただし、ｆ2 は第２レンズ群の焦点距離、
ｆt は望遠端における全系の焦点距離、
である。
【請求項１７】
以下の条件式を満足することを特徴とする請求項１６記載のズームレンズ。
−０．５＜ＳＦ1 ＜−０．０３                                  ・・・（６）
ただし、ＳＦ1 ＝（Ｒ1f＋Ｒ1r）／（Ｒ1f−Ｒ1r）で定義され、
Ｒ1fは第１レンズの物体側面の曲率半径、
Ｒ1rは第１レンズの像側面の曲率半径、
である。
【請求項１８】
以下の条件式を満足することを特徴とする請求項１７記載のズームレンズ。
０＜ＳＦ2 ＜０．６                                            ・・・（７）
ただし、ＳＦ2 ＝（Ｒ2f＋Ｒ2r）／（Ｒ2f−Ｒ2r）で定義され、
Ｒ2fは第２レンズ群の物体側のレンズの物体側面の曲率半径、
Ｒ2rは第２レンズ群の物体側のレンズの像側面の曲率半径、
である。
【請求項１９】
以下の条件式を満足することを特徴とする請求項１８記載のズームレンズ。
１．５＜Ｒ（Ｇ1r）／Ｒ（Ｇ2f）＜２．４                        ・・・（８）
ただし、Ｒ（Ｇ1r）は第１レンズ群の最像側面の曲率半径、
Ｒ（Ｇ2f）は第２レンズ群の最物体側面の曲率半径、
である。
【請求項２０】
前記第１レンズ群の最像面側の面が非球面であることを特徴とする請求項１９記載のズームレンズ。
【請求項２１】
請求項１記載のズームレンズと、該ズームレンズの像側に配置された撮像素子とを備えることを特徴とする電子撮像装置。
【請求項２２】
さらに以下の条件式を満たすことを特徴とする請求項１記載のズームレンズ。
０．４＜Ｄ2 ／ｆw ＜０．７                                    ・・・（Ａ）
０．０８＜Ｄ2 ／ｆt ＜０．２２                                ・・・（Ｂ）
ただし、Ｄ2 は第２レンズ群の最も物体側のレンズ面頂から第２レンズ群の最も像側のレンズ面頂までの光軸に沿って測った距離、
ｆw は広角端における全系の焦点距離、
ｆt は望遠端における全系の焦点距離、
である。
【請求項２３】
さらに以下の条件式を満たすことを特徴とする請求項１または２２に記載のズームレンズズームレンズ。
０．４＜Ｄ3 ／ｆw ＜０．７                                    ・・・（Ｃ）
０．１＜Ｄ3 ／／ｆt ＜０．２２                                ・・・（Ｄ）
ただし、Ｄ3 は第３レンズ群の最も物体側のレンズ面頂から第３レンズ群の最も像側のレンズ面頂までの光軸に沿って測った距離、
ｆw は広角端における全系の焦点距離、
ｆt は望遠端における全系の焦点距離、
である。